(57)【特許請求の範囲】
【請求項１】
低電力基地局によって、隣接基地局によってサービスされるユーザ装置によって送信されたアップリンク信号を監視して、前記アップリンク信号の信号測定情報および前記アップリンク信号の特性情報を取得するステップであって、前記特性情報は前記ユーザ装置の信号特性であるステップと、
前記低電力基地局によって、前記アップリンク信号の前記信号測定情報および前記アップリンク信号の前記特性情報を、前記低電力基地局をカバーする少なくとも1つのマクロ基地局に送信して、前記特性情報が対応する前記ユーザ装置が前記低電力基地局にアンロードされるかどうかを前記信号測定情報に従って前記マクロ基地局が決定できるようにするステップと
を備える、ハンドオーバ方法。
【請求項２】
前記アップリンク信号の前記信号測定情報が、前記アップリンク信号の信号強度または前記アップリンク信号の信号品質を備える、請求項1に記載の方法。
【請求項３】
前記低電力基地局によって、前記アップリンク信号の前記信号測定情報および前記アップリンク信号の前記特性情報を、前記低電力基地局をカバーする少なくとも1つのマクロ基地局に送信する前記ステップが、
前記アップリンク信号の前記信号強度、または前記アップリンク信号の前記信号品質があらかじめ設定されたしきい値以上の場合、前記低電力基地局によって、前記アップリンク信号の前記信号測定情報および前記アップリンク信号の前記特性情報を、前記低電力基地局をカバーする少なくとも1つのマクロ基地局に送信するステップを備える、請求項2に記載の方法。
【請求項４】
隣接基地局によってサービスされるユーザ装置によって送信されたアップリンク信号を監視して、前記アップリンク信号の信号測定情報および前記アップリンク信号の特性情報を取得するように構成された監視ユニットであって、前記特性情報は前記ユーザ装置の信号特性である監視ユニットと、
前記監視ユニットによって取得された前記アップリンク信号の前記信号測定情報および前記アップリンク信号の前記特性情報を、低電力基地局をカバーする少なくとも1つのマクロ基地局に送信して、前記特性情報が対応する前記ユーザ装置が前記低電力基地局にアンロードされるかどうかを前記信号測定情報に従って前記マクロ基地局が決定できるようにするように構成された送信ユニットと
を備える低電力基地局。
【請求項５】
前記監視ユニットによって取得された前記信号測定情報における前記アップリンク信号の信号強度または前記アップリンク信号の信号品質があらかじめ定められたしきい値以上の場合、前記送信ユニットが、前記アップリンク信号の前記信号測定情報および前記アップリンク信号の前記特性情報を、前記低電力基地局をカバーする少なくとも1つのマクロ基地局に送信するように特に構成される、請求項4に記載の低電力基地局。
【請求項６】
低電力基地局によって送信されたアップリンク信号の信号測定情報および前記アップリンク信号の特性情報を受信するように構成された受信ユニットであって、前記アップリンク信号が前記低電力基地局によって監視され、隣接基地局によってサービスされるユーザ装置によって送信されたアップリンク信号であり、前記特性情報は前記ユーザ装置の信号特性である受信ユニットと、
前記受信ユニットによって受信される前記特性情報が対応する前記ユーザ装置が、マクロ基地局によってサービスされるユーザ装置であると決定するように構成された決定ユニットと、
前記受信ユニットによって受信される前記特性情報が対応する前記ユーザ装置が、前記マクロ基地局によってサービスされる前記ユーザ装置であることを前記決定ユニットが決定した後、前記ユーザ装置に前記低電力基地局の測定を実行することを示すように構成された表示ユニットと、
前記低電力基地局によって送信された前記アップリンク信号の前記信号測定情報、および前記ユーザ装置によって測定された前記低電力基地局の測定結果に従って、前記ユーザ装置が前記低電力基地局にアンロードされるかどうかを決定するようにさらに構成された前記決定ユニットと
を備える、マクロ基地局。
【請求項７】
前記決定ユニットが、前記ユーザ装置が前記低電力基地局にアンロードされるかどうかを決定する前に、前記ユーザ装置によって測定された前記低電力基地局の前記測定結果に従って、前記特性情報が対応する前記ユーザ装置が前記マクロ基地局によってサービスされる前記ユーザ装置であると決定するようにさらに構成される、請求項6に記載のマクロ基地局。
【請求項８】
前記決定ユニットが、前記アップリンク信号の前記信号測定情報における前記アップリンク信号の信号強度または前記アップリンク信号の信号品質が第1のあらかじめ設定されたしきい値以上であり、ダウンリンク信号の信号強度または前記ユーザ装置によって測定された前記低電力基地局の前記測定結果における前記ダウンリンク信号の信号品質が第2のあらかじめ設定されたしきい値以上であると決定すると、前記ユーザ装置が前記低電力基地局にアンロードされると決定するように前記決定ユニットが特に構成される、請求項7に記載のマクロ基地局。
【発明の詳細な説明】
【技術分野】
【０００１】
本出願は、2011年1月28日に中国専利局に出願された中国特許出願第201110031922.5号「HANDOVER METHOD, BASE STATION AND SYSTEM」の優先権を主張し、その内容全体を参照により本明細書に組み込む。
【０００２】
本発明の実施形態は、通信技術の分野に関し、より詳細には、異種ネットワークにおけるハンドオーバ技術に関する。
【背景技術】
【０００３】
無線ネットワーク技術の発展に伴い、異種ネットワーク(Heterogeneous Network、以下ではHetNetと呼ぶ)システムが提案されている。異種ネットワークは異なる無線ネットワークを含み、たとえば、典型的なHetNetのシナリオは、ホットスポットのカバレッジを提供するために、マクロ基地局のカバレッジ範囲内に複数のフェムトセル(Femto)基地局またはピコセル(Pico)基地局が存在することである。一般に、異なる基地局は異なる送信電力およびカバレッジ範囲を有しており、マクロ基地局は数十ワットの送信電力および半径500メートルから1キロメートルのカバレッジ範囲を有し、高電力基地局と呼ばれうる。Femto基地局またはPico基地局などの、比較的小さい送信電力および比較的小さいカバレッジ範囲を有する基地局は、低電力基地局と呼ばれうる。低電力基地局は、比較的小さい送信電力および比較的小さいカバレッジ範囲を有しており、たとえば、Femto基地局は一般的に約10メートルのカバレッジ半径を有する。それぞれの基地局は複数のセルを管理でき、マクロ基地局によって管理されるセルはマクロセル(Macro cell)と呼ばれ、Femto基地局によって管理されるセルはフェムトセル(Femto cell)と呼ばれ、Pico基地局によって管理されるセルはピコセル(Pico cell)と呼ばれる。それぞれのセルは一定の範囲をカバーし、複数のユーザ装置(User Equipment、以下ではUEと呼ぶ)にサービスすることができる。
【０００４】
HetNetネットワークでは、低電力基地局(Femto基地局またはPico基地局など)は、マクロ基地局のカバレッジ範囲内にあることが多く、したがって、低電力基地局とマクロ基地局との間の短距離に強い干渉の問題が発生する場合がある。基地局からUEへの単方向通信リンクがダウンリンクと定義され、UEから基地局への単方向の通信リンクがアップリンクと定義されている場合、以下のように、主にいくつかのタイプの強い干渉がHetNetネットワーク内にある。1)ダウンリンクでは、低電力基地局に近いマクロ基地局によってサービスされるUEへの、低電力基地局の強い干渉、2)アップリンクでは、低電力基地局への、低電力基地局に近いマクロ基地局によってサービスされるUEの強い干渉。
【０００５】
マクロ基地局によって管理されるマクロセルは、主にセルカバレッジを保証するために使用されるが、低電力基地局は、主にシステムのキャパシティをさらに改善するために使用される。しかし、HetNetシステムでは、マクロ基地局によってサービスされるUEが低電力基地局に近づくと、マクロセルの信号が強いので、UEがハンドオーバ、測定、およびレポートできるようにする条件が満たされず、したがって、マクロ基地局によってサービスされるUEの、低電力基地局へのアンロードが実現できない。
【発明の概要】
【課題を解決するための手段】
【０００６】
本発明の一態様は、低電力基地局が、隣接基地局によってサービスされるユーザ装置によって送信されたアップリンク信号を監視して、アップリンク信号の信号測定情報およびアップリンク信号の特性情報を取得することと、低電力基地局が、アップリンク信号の信号測定情報およびアップリンク信号の特性情報を、低電力基地局をカバーする少なくとも1つのマクロ基地局に送信して、特性情報が対応するユーザ装置が低電力基地局にアンロードされるかどうかを信号測定情報に従ってマクロ基地局が決定できるようにすることを備えるハンドオーバ方法を提供する。
【０００７】
本発明の他の態様は、低電力基地局によって送信されたアップリンク信号の信号測定情報およびアップリンク信号の特性情報をマクロ基地局によって受信するステップであって、アップリンク信号が、低電力基地局によって監視され、隣接基地局によってサービスされるユーザ装置によって送信されたアップリンク信号であるステップと、特性情報が対応するユーザ装置が、マクロ基地局によってサービスされるユーザ装置であることをマクロ基地局が決定するステップと、ユーザ装置に低電力基地局の測定を実行することをマクロ基地局によって示すステップと、低電力基地局によって送信されたアップリンク信号の信号測定情報、およびユーザ装置によって測定された低電力基地局の測定結果に従って、ユーザ装置が低電力基地局にアンロードされるかどうかをマクロ基地局が決定するステップとを備えるハンドオーバ方法をさらに提供する。
【０００８】
本発明の他の態様は、隣接基地局によってサービスされるユーザ装置によって送信されたアップリンク信号を監視して、アップリンク信号の信号測定情報およびアップリンク信号の特性情報を取得するように構成された監視ユニットと、監視ユニットによって取得されたアップリンク信号の信号測定情報およびアップリンク信号の特性情報を、低電力基地局をカバーする少なくとも1つのマクロ基地局に送信して、特性情報が対応するユーザ装置が低電力基地局にアンロードされるかどうかを信号測定情報に従ってマクロ基地局が決定できるようにするように構成された送信ユニットとを備える低電力基地局を提供する。
【０００９】
本発明の他の態様は、低電力基地局によって送信されたアップリンク信号の信号測定情報およびアップリンク信号の特性情報を受信するように構成された受信ユニットであって、アップリンク信号が低電力基地局によって監視され、隣接基地局によってサービスされるユーザ装置によって送信されたアップリンク信号である受信ユニットと、受信ユニットによって受信される特性情報が対応するユーザ装置が、マクロ基地局によってサービスされるユーザ装置であることを決定するように構成された決定ユニットと、受信ユニットによって受信される特性情報が対応するユーザ装置が、マクロ基地局によってサービスされるユーザ装置であると決定ユニットが決定した後、ユーザ装置に低電力基地局の測定を実行することを示すように構成された表示ユニットと、低電力基地局によって送信されたアップリンク信号の信号測定情報、およびユーザ装置によって測定された低電力基地局の測定結果に従って、ユーザ装置が低電力基地局にアンロードされるかどうかを決定するようにさらに構成された決定ユニットとを備えるマクロ基地局を提供する。
【００１０】
本発明のさらなる態様は、上述の低電力基地局、および上述のマクロ基地局を備える異種通信システムを提供する。
【００１１】
本発明の実施形態によれば、低電力基地局が、隣接基地局によってサービスされるユーザ装置によって送信されたアップリンク信号を測定し、アップリンク信号の信号測定情報およびアップリンク信号の特性情報を取得した後、信号測定情報におけるアップリンク信号の信号強度またはアップリンク信号の信号品質があらかじめ設定されたしきい値以上の場合、低電力基地局が、アップリンク信号の信号測定情報および特性情報を、低電力基地局をカバーする少なくとも1つのマクロ基地局に送信して、マクロ基地局が、信号測定情報に従って、特性情報が対応するユーザ装置が低電力基地局にアンロードされるかどうかを決定できるようにし、それによって、低電力基地局によって送信された信号測定情報および特性情報に基づいて、マクロ基地局が、特性情報が対応するユーザ装置を低電力基地局にアンロードすることを実現できるようにするようにする。もともとマクロ基地局によってサービスされているユーザ装置が低電力基地局にアンロードされるので、低電力基地局からの干渉がユーザ装置に関して存在せず、また、低電力基地局はユーザ装置からの干渉をこれ以上受けることはなく、したがってアップリンクおよびダウンリンク上の短距離の強い干渉であるHetNetネットワーク内に発生する問題を効率的に軽減できる。
【００１２】
本発明の実施形態の技術的ソリューションをより明確にするために、実施形態の記述において使用される添付の図面を以下で簡単に紹介する。添付の図面は本発明の特定の実施形態を示すものであり、当業者はそれらの図面から他の図面を創造的努力なしに取得できることは明らかである。
【図面の簡単な説明】
【００１３】
【図１】本発明の実施形態による、ハンドオーバ方法の流れ図である。
【図２】本発明の他の実施形態による、ハンドオーバ方法の流れ図である。
【図３】本発明の他の実施形態による、ハンドオーバ方法の流れ図である。
【図４】本発明の他の実施形態による、ハンドオーバ方法の流れ図である。
【図５】本発明の実施形態による、低電力基地局の概略的構造図である。
【図６】本発明の実施形態による、マクロ基地局の概略的構造図である。
【発明を実施するための形態】
【００１４】
本発明の実施形態の目的、技術的ソリューション、および利点をより分かりやすくするために、以下で、本発明の実施形態における添付の図面を参照して、本発明の実施形態における技術的ソリューションを明確かつ完全に説明する。記述される実施形態は、本発明の全ての実施形態ではなく、その一部に過ぎないことは明らかである。本発明の実施形態に基づいて、当業者は他の全ての実施形態を創造的努力なしに取得でき、それらは全て本発明の保護範囲内である。
【００１５】
図1は、本発明の実施形態によるハンドオーバ方法の流れ図である。図1に示されるように、ハンドオーバ方法は以下を備えうる。
【００１６】
101, 低電力基地局が、隣接基地局によってサービスされるユーザ装置によって送信されたアップリンク信号を監視して、アップリンク信号の信号測定情報およびアップリンク信号の特性情報を取得する。
【００１７】
102, 低電力基地局が、アップリンク信号の信号測定情報およびアップリンク信号の特性情報を、低電力基地局をカバーする少なくとも1つのマクロ基地局に送信して、マクロ基地局が、信号測定情報に従って、特性情報が対応するユーザ装置が低電力基地局にアンロードされるかどうかを決定できるようにする。
【００１８】
サービングセルについて、サービングセルは、サービングセルによってサービスされる全てのUEの信号特性を知っているので、信号特性によって信号に対応するUEを判断できる。上述の信号特性は、符号分割多重アクセス(Code Division Multiple Access、以下ではCDMAと呼ぶ)システムにおける直交符号/スクランブリング符号、直交周波数分割多重(Orthogonal Frequency Division Multiplexing、以下ではOFDMと呼ぶ)システムにおける時間周波数リソース位置/参照信号(Reference Signal、以下ではRSと呼ぶ)パターン、およびグローバルシステムフォーモバイルコミュニケーション(Global System for Mobile Communication、以下ではGSM（登録商標）と呼ぶ)システムにおけるサブフレーム番号/時間スロット番号などを含みうる。ロングタームエボリューション(Long Term Evolution、以下ではLTEと呼ぶ)システムを例にとると、UEがアップリンクサウンディング(Sounding)信号を送信して、サービングセルがチャネル推定などを実行できるようにする。ここで、低電力基地局が、マクロ基地局によってサービスされるUEのアップリンクサウンディング信号を同期的に受信して、アップリンクサウンディング信号によって搬送される周波数ホッピングパターンおよび周期的シフトなどの、特性情報の全ての可能な組合せを知ることができると仮定する。このように、アップリンクサウンディング信号を受信した後、低電力基地局は、異なる特性情報の全ての可能な組合せに従って、受信したアップリンクサウンディング信号を一致させて、アップリンクサウンディング信号の特性情報を取得できる。
【００１９】
この実施形態では、低電力基地局は、マクロ基地局によってサービスされるUEに対応するアップリンク信号の特性情報を知らず、したがって、特性情報に従って、特性情報に対応するUEのサービング基地局を決定できない。したがって、低電力基地局が、アップリンク信号の特性情報を、低電力基地局をカバーする少なくとも1つのマクロ基地局に送信する必要があり、マクロ基地局は、特性情報に従って、特性情報に対応するUEがマクロ基地局によってサービスされるUEかどうかを決定する。
【００２０】
上記の実施形態では、低電力基地局が、隣接基地局によってサービスされるUEによって送信されたアップリンク信号を監視して、アップリンク信号の信号測定情報およびアップリンク信号の特性情報を取得した後、低電力基地局が、アップリンク信号の信号測定情報およびアップリンク信号の特性情報を、低電力基地局をカバーする少なくとも1つのマクロ基地局に送信して、マクロ基地局が、信号測定情報に従って、特性情報が対応するUEが低電力基地局にアンロードされるかどうかを決定できるようにし、それによって、低電力基地局によって送信された信号測定情報および特性情報に基づいて、マクロ基地局が、特性情報が対応するUEを低電力基地局にアンロードすることを実現できるようにする。もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。
【００２１】
図2は、本発明の他の実施形態によるハンドオーバ方法の流れ図である。図2に示されるように、ハンドオーバ方法は以下を備えうる。
【００２２】
201, 低電力基地局が、隣接基地局によってサービスされるUEによって送信されたアップリンク信号を監視して、アップリンク信号の信号測定情報およびアップリンク信号の特性情報を取得する。
【００２３】
この実施形態では、アップリンク信号の信号測定情報は、アップリンク信号の信号強度、またはアップリンク信号の信号品質を備えうる。
【００２４】
202, 低電力基地局が、アップリンク信号の信号強度またはアップリンク信号の信号品質があらかじめ設定されたしきい値以上かどうかを決定して、アップリンク信号の信号強度またはアップリンク信号の信号品質があらかじめ設定されたしきい値以上の場合、本方法は203を実行する。任意で、アップリンク信号の信号強度またはアップリンク信号の信号品質があらかじめ設定されたしきい値を下回る場合、本方法は201を実行するために戻る。
【００２５】
203, 低電力基地局が、アップリンク信号の信号測定情報およびアップリンク信号の特性情報を、低電力基地局をカバーする少なくとも1つのマクロ基地局に送信して、マクロ基地局が、信号測定情報に従って、特性情報が対応するユーザ装置が低電力基地局にアンロードされるかどうかを決定できるようにする。
【００２６】
上記の実施形態では、低電力基地局が、隣接基地局によってサービスされるUEによって送信されたアップリンク信号を監視して、アップリンク信号の信号測定情報およびアップリンク信号の特性情報を取得した後、信号測定情報におけるアップリンク信号の信号強度またはアップリンク信号の品質があらかじめ設定されたしきい値以上の場合、低電力基地局が、アップリンク信号の信号測定情報およびアップリンク信号の特性情報を、低電力基地局をカバーする少なくとも1つのマクロ基地局に送信して、マクロ基地局が、信号測定情報に従って、特性情報が対応するUEが低電力基地局にアンロードされるかどうかを決定できるようにし、それによって、低電力基地局によって送信された信号測定情報および特性情報に基づいて、マクロ基地局が、特性情報が対応するUEを低電力基地局にアンロードすることを実現できるようにする。もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。
【００２７】
図3は、本発明の他の実施形態によるハンドオーバ方法の流れ図である。図3に示されるように、ハンドオーバ方法は以下を備えうる。
【００２８】
301, マクロ基地局が、低電力基地局によって送信されたアップリンク信号の信号測定情報およびアップリンク信号の特性情報を受信する。アップリンク信号は、低電力基地局によって監視され、隣接基地局によってサービスされるユーザ装置によって送信されたアップリンク信号である。
【００２９】
この実施形態では、アップリンク信号の信号測定情報は、アップリンク信号の信号強度、またはアップリンク信号の信号品質を備える。
【００３０】
特に、マクロ基地局が、低電力基地局によって送信されたアップリンク信号の信号測定情報およびアップリンク信号の特性情報を受信し、それは、アップリンク信号の信号強度またはアップリンク信号の信号品質があらかじめ設定されたしきい値以上の場合、マクロ基地局が、低電力基地局によって送信されたアップリンク信号の信号測定情報およびアップリンク信号の特性情報を受信することでよい。
【００３１】
302, マクロ基地局が、特性情報が対応するUEが、マクロ基地局によってサービスされるUEであると決定する。
【００３２】
303, マクロ基地局が、低電力基地局に測定を実行するべきUEを示す。
【００３３】
この実施形態では、低電力基地局は複数の隣接低電力基地局を有する場合があり、一方、低電力基地局は、複数のマクロ基地局の重複するカバレッジ領域内に配置される場合があり、低電力基地局によって測定されたアップリンク信号は、一定の隣接低電力基地局または一定の隣接マクロ基地局によってサービスされるUEに属する場合があり、必ずしも低電力基地局をカバーするマクロ基地局によってサービスされるUEによって送信されたアップリンク信号ではない。たとえ、アップリンク信号が、低電力基地局をカバーするマクロ基地局によってサービスされるUEによって送信されたアップリンク信号でも、アップリンク信号は、他の基地局によってサービスされるUEからの他の干渉を有する場合があるので、マクロ基地局は、特性情報に従って、誤判断の可能性を有しうる。上記を考慮すると、マクロ基地局が、特性情報に対応するUEがマクロ基地局によってサービスされるUEであると判断すると、マクロ基地局は、UEを識別する信号測定情報および特性情報を報告する低電力基地局にさらなる測定を実行するべきUEを示す。
【００３４】
304, マクロ基地局が、低電力基地局によって送信された信号測定情報、およびUEによって測定された低電力基地局の測定結果に従って、UEが低電力基地局にアンロードされるかどうかを決定する。
【００３５】
特に、マクロ基地局が、アップリンク信号の信号測定情報におけるアップリンク信号の信号強度またはアップリンク信号の信号品質が第1のあらかじめ設定されたしきい値以上であり、またユーザ装置によって測定された低電力基地局の測定結果における、低電力基地局のダウンリンク信号の信号強度またはダウンリンク信号の信号品質が、第2のあらかじめ設定されたしきい値以上であると決定すると、マクロ基地局は、ユーザ装置が低電力基地局にアンロードされることを決定する。
【００３６】
この実施形態では、マクロ基地局は、低電力基地局によってあらかじめ設定されたしきい値を事前に知ることができ、たとえば、低電力基地局がしきい値を設定した後でそのしきい値をマクロ基地局に送信することもでき、マクロ基地局が低電力基地局としきい値のサイズをネゴシエートすることもできる。このように、第1しきい値を設定する場合、マクロ基地局は上記のしきい値に従って設定できるので、第1しきい値は上記のしきい値と等しい場合もあり、また当然上記のしきい値と等しくない場合もあり、この実施形態では限定されない。
【００３７】
さらに、少なくとも2つの低電力基地局によってマクロ基地局に送信されたアップリンク信号の特性情報が同じUEに対応する場合、マクロ基地局が、少なくとも2つの低電力基地局によって送信されたアップリンク信号の特性情報に対応するUEが、マクロ基地局によってサービスされるUEであると決定した後、マクロ基地局は、少なくとも2つの低電力基地局に測定を実行するべきUEを示すことができる。UEによって測定された少なくとも2つの低電力基地局の測定結果における、それぞれの少なくとも2つの低電力基地局のダウンリンク信号の信号品質またはダウンリンク信号の信号強度が、第2のあらかじめ設定されたしきい値以上の場合、また、それぞれの少なくとも2つの低電力基地局によって送信された、信号測定情報におけるアップリンク信号の信号強度またはアップリンク信号の信号品質が、第1のあらかじめ設定されたしきい値以上の場合、マクロ基地局は、送信された信号測定情報におけるアップリンク信号の最高信号強度またはアップリンク信号の最高信号品質、およびUEによって測定された測定結果におけるダウンリンク信号の最高信号品質またはダウンリンク信号の最高信号強度を有する低電力基地局を選択して、UEを選択された低電力基地局にアンロードできる。
【００３８】
上記の実施形態では、マクロ基地局が、低電力基地局によって送信された信号測定情報および特性情報を受信した後、マクロ基地局が特性情報に対応するUEがマクロ基地局によってサービスされるUEであるとあらかじめ判断する場合、マクロ基地局は、低電力基地局にさらなる測定を実行するべきUEを示す。次いで、マクロ基地局は、低電力基地局によって送信された信号測定情報およびUEによって測定された低電力基地局の測定結果に従って、UEが低電力基地局にアンロードされるかどうかを決定できる。その結果、マクロ基地局は、低電力基地局によって送信された信号測定情報および特性情報に基づいて、特性情報が対応するUEの低電力基地局へのアンロードを実現できるようになる。もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。さらに、マクロ基地局は、特性情報に対応するUEがマクロ基地局によってサービスされるUEであると決定した後のみ、低電力基地局に測定を実行するべきUEを示すので、UEによって実行される隣接測定が減少して、UEの電力がさらに節約され、UEの報告が減少するので、UEからマクロ基地局へのアップリンクロードを減少できる。
【００３９】
図4は、本発明の他の実施形態によるハンドオーバ方法の流れ図である。図4に示されるように、ハンドオーバ方法は以下を備えうる。
【００４０】
401, マクロ基地局が、低電力基地局によって送信されたアップリンク信号の信号測定情報およびアップリンク信号の特性情報を受信する。アップリンク信号は、低電力基地局によって監視され、隣接基地局によってサービスされるユーザ装置によって送信されたアップリンク信号である
【００４１】
この実施形態では、アップリンク信号の信号測定情報は、アップリンク信号の信号強度、またはアップリンク信号の信号品質を備える。
【００４２】
特に、マクロ基地局が、低電力基地局によって送信されたアップリンク信号の信号測定情報およびアップリンク信号の特性情報を受信し、それは、アップリンク信号強度またはアップリンク信号品質があらかじめ設定されたしきい値以上の場合、マクロ基地局が、低電力基地局によって送信されたアップリンク信号の信号測定情報およびアップリンク信号の特性情報を受信することでよい。
【００４３】
402, マクロ基地局が、特性情報が対応するUEがマクロ基地局によってサービスされるUEかどうかを決定して、イエスの場合、本方法は403から405を実行する。任意で、特性情報が対応するUEはマクロ基地局によってサービスされるUEではないと決定すると、本方法は401を実行するために戻る。
【００４４】
403, マクロ基地局が、低電力基地局に測定を実行するべき、特性情報が対応するUEを示す。
【００４５】
この実施形態では、低電力基地局は複数の隣接低電力基地局を有する場合があり、一方、低電力基地局は、複数のマクロ基地局の重複するカバレッジ領域内に配置される場合があり、低電力基地局によって測定されたアップリンク信号は、一定の隣接低電力基地局または一定の隣接マクロ基地局によってサービスされるUEに属する場合があり、必ずしも低電力基地局をカバーするマクロ基地局によってサービスされるUEによって送信されたアップリンク信号ではない。たとえ、アップリンク信号が、低電力基地局をカバーするマクロ基地局によってサービスされるUEによって送信されたアップリンク信号でも、アップリンク信号は、他の基地局によってサービスされるUEからの他の干渉を有する場合があるので、マクロ基地局は、特性情報に従って、誤判断の可能性を有しうる。上記を考慮すると、マクロ基地局が、特性情報に対応するUEがマクロ基地局によってサービスされるUEであるとあらかじめ判断すると、マクロ基地局は、UEを識別する信号測定情報および特性情報を報告する低電力基地局にさらなる測定を実行するべきUEを示す。
【００４６】
404, マクロ基地局が、UEによって測定された低電力基地局の測定結果に従って、特性情報が対応するUEがマクロ基地局によってサービスされるUEかどうかを決定して、イエスの場合、本方法は405を実行する。任意で、マクロ基地局が、特性情報が対応するUEはマクロ基地局によってサービスされるUEではないと決定すると、本方法は401を実行するために戻る。
【００４７】
405, マクロ基地局が、低電力基地局によって送信された信号測定情報、およびUEによって測定された低電力基地局の測定結果に従って、UEが低電力基地局にアンロードされるかどうかを決定する。
【００４８】
この実施形態では、マクロ基地局が、低電力基地局によって送信された信号測定情報、およびUEによって測定された低電力基地局の測定結果に従って、UEが低電力基地局にアンロードされるかどうかを決定し、この実施形態は、本発明の実施形態による図3の304で提供される方法を参照できるので、ここでは詳細に説明しない。
【００４９】
上記の実施形態は、低電力基地局によって送信された信号測定情報および特性情報に基づいて、マクロ基地局が、特性情報が対応するUEを低電力基地局にアンロードするかどうかを決定することを実現でき、もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。さらに、マクロ基地局は、特性情報に対応するUEがマクロ基地局によってサービスされるUEであると決定した後のみ、低電力基地局に測定を実行するべきUEを示すので、UEによって実行される隣接測定が減少して、UEの電力がさらに節約され、UEの報告が減少するので、UEからマクロ基地局へのアップリンクロードを減少できる。
【００５０】
当業者は、上記の方法実施形態のステップの全てまたは一部は、プログラムの指示の下で関連ハードウェアによって完了することができ、またプログラムはコンピュータ可読ストレージ媒体に格納でき、プログラムが実行されると上記の方法実施形態のステップが実行され、ストレージ媒体は、読出し専用メモリ(ROM)、ランダムアクセスメモリ(RAM)、フロッピー（登録商標）ディスク、または光ディスクおよび同等物などの、プログラムコードを格納できる様々な媒体を備えることを理解するべきである。
【００５１】
図5は、本発明の実施形態による低電力基地局の概略的構造図である。この実施形態における低電力基地局は、図1および2に示されるように本発明の実施形態の流れを実現でき、また図5に示されるように、低電力基地局は監視ユニット51および送信ユニット52を備えうる。
【００５２】
監視ユニット51が、隣接基地局によってサービスされるユーザ装置UEによって送信されたアップリンク信号を監視して、アップリンク信号の信号測定情報およびアップリンク信号の特性情報を取得する。送信ユニット52が、監視ユニット51によって取得されたアップリンク信号の信号測定情報およびアップリンク信号の特性情報を、低電力基地局をカバーする少なくとも1つのマクロ基地局に送信して、マクロ基地局が、信号測定情報に従って、特性情報が対応するUEが低電力基地局にアンロードされるかどうかを決定できるようにする。
【００５３】
特に、送信ユニット52は、監視ユニット51によって取得された、信号測定情報におけるアップリンク信号の信号強度またはアップリンク信号の信号品質があらかじめ設定されたしきい値以上の場合、アップリンク信号の信号測定情報およびアップリンク信号の特性情報を、低電力基地局をカバーする少なくとも1つのマクロ基地局に送信できる。任意で、取得された信号測定情報におけるアップリンク信号の信号強度またはアップリンク信号の信号品質があらかじめ設定されたしきい値を下回る場合、送信ユニット52は、アップリンク信号の信号測定情報およびアップリンク信号の特性情報をマクロ基地局に送信できないが、監視ユニット51は、隣接基地局によってサービスされるUEによって送信されたアップリンク信号の監視を継続する。
【００５４】
この実施形態では、低電力基地局は、マクロ基地局によってサービスされるUEに対応するアップリンク信号の特性情報を知らないので、特性情報に従って、特性情報に対応するUEが属するセルを決定できず、したがって、送信ユニット52は、アップリンク信号の特性情報をマクロ基地局に送信する必要があり、マクロ基地局は、特性情報に従って、特性情報が対応するUEがマクロ基地局によってサービスされるUEかどうかを決定する。
【００５５】
上記の低電力基地局では、監視ユニット51が、隣接基地局によってサービスされるUEによって送信されたアップリンク信号を監視して、アップリンク信号の信号測定情報およびアップリンク信号の特性情報を取得した後、送信ユニット52が、信号測定情報および特性情報を、低電力基地局をカバーする少なくとも1つのマクロ基地局に送信して、マクロ基地局が、信号測定情報に従って、特性情報が対応するUEが低電力基地局にアンロードされるかどうかを決定できるようにし、それによって、低電力基地局によって送信された信号測定情報および特性情報に基づいて、マクロ基地局が、特性情報が対応するUEを低電力基地局にアンロードすることを実現できるようにする。もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。
【００５６】
図6は、本発明の実施形態によるマクロ基地局の概略的構造図である。この実施形態のマクロ基地局は、図3および4に示されるように本発明の実施形態の流れを実現でき、また図6に示されるように、マクロ基地局は、受信ユニット61、決定ユニット62、および表示ユニット63を備えうる。
【００５７】
受信ユニット61が、低電力基地局によって送信されたアップリンク信号の信号測定情報およびアップリンク信号の特性情報を受信する。アップリンク信号は、低電力基地局によって監視され、隣接基地局によってサービスされるユーザ装置によって送信されたアップリンク信号である。決定ユニット62が、受信ユニット61によって受信された特性情報に対応するUEがマクロ基地局によってサービスされるUEであると決定して、決定ユニット62が、受信ユニット61によって受信された特性情報に対応するUEがマクロ基地局によってサービスされるUEであると決定した後、表示ユニット63が、低電力基地局に測定を実行するべきUEを示す。
【００５８】
この実施形態では、決定ユニット62は、低電力基地局によって送信されたアップリンク信号の信号測定情報、およびUEによって測定された低電力基地局の測定結果に従って、UEが低電力基地局にアンロードされるかどうかをさらに決定できる。特に、決定ユニット62は、本発明の実施形態による図3の304で提供される方法を参照して、UEが低電力基地局にアンロードされるかどうかを決定でき、ここでは詳細に説明しない。
【００５９】
さらに、この実施形態では、決定ユニット62は、UEが低電力基地局にアンロードされるかどうかを決定する前に、UEによって測定された低電力基地局の測定結果に従って、特性情報が対応するUEがマクロ基地局によってサービスされるUEであるとさらに決定する。
【００６０】
特に、受信ユニット61は、アップリンク信号の信号強度、またはアップリンク信号の信号品質があらかじめ設定されたしきい値以上の場合、低電力基地局によって送信されたアップリンク信号の信号測定情報およびアップリンク信号の特性情報を受信できる。
【００６１】
決定ユニット62は、決定ユニット62が、アップリンク信号の信号測定情報におけるアップリンク信号の信号強度またはアップリンク信号の信号品質が第1のあらかじめ設定されたしきい値以上であり、低電力基地局のダウンリンク信号の信号強度またはユーザ装置によって測定された低電力基地局の測定結果におけるダウンリンク信号の信号品質が第2のあらかじめ設定されたしきい値以上であると決定すると、ユーザ装置が低電力基地局にアンロードされると決定できる。
【００６２】
上記の実施形態では、受信ユニット61が、低電力基地局によって送信された信号測定情報および特性情報を受信した後、決定ユニット62が特性情報に対応するUEがマクロ基地局によってサービスされるUEであるとあらかじめ決定する場合、表示ユニット63は、低電力基地局にさらなる測定を実行するべきUEを示す。次いで、決定ユニット62は、低電力基地局によって送信された信号測定情報およびUEによって測定された低電力基地局の測定結果に従って、UEが低電力基地局にアンロードされるかどうかを決定できる。その結果、マクロ基地局は、低電力基地局によって送信された信号測定情報および特性情報に基づいて、特性情報が対応するUEの低電力基地局へのアンロードを実現できるようになる。もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。さらに、マクロ基地局は、特性情報に対応するUEがマクロ基地局によってサービスされるUEであると決定した後のみ、低電力基地局に測定を実行するべきUEを示すので、UEによって実行される隣接測定が減少して、UEの電力がさらに節約され、UEの報告が減少するので、UEからマクロ基地局へのアップリンクロードを減少できる。
【００６３】
この実施形態は、図5に示されるように本発明の実施形態において提供される低電力基地局、および図6に示されるように本発明の実施形態において提供されるマクロ基地局を備える通信システムを提供する。
【００６４】
上記の通信システムは、低電力基地局によって送信された信号測定情報および特性情報に基づいて、マクロ基地局が、特性情報が対応するUEを低電力基地局にアンロードすることを決定することが実現でき、もともとマクロ基地局によってサービスされているUEが低電力基地局にアンロードされるので、低電力基地局からの干渉がUEに関して存在せず、また、低電力基地局はUEからの干渉をこれ以上受けることはなく、したがってアップリンクおよびダウンリンク上の短距離の強い干渉であるHetNetネットワーク内に発生する問題を効率的に軽減できる。さらに、マクロ基地局は、特性情報に対応するUEがマクロ基地局によってサービスされるUEであると決定した後のみ、低電力基地局に測定を実行するべきUEを示すので、UEによって実行される隣接測定が減少して、UEの電力がさらに節約され、UEの報告が減少するので、UEからマクロ基地局へのアップリンクロードを減少できる。
【００６５】
当業者は、添付の図面は好ましい実施形態の概略図に過ぎず、添付の図面において示されるユニットまたは処理は本発明を実装するために必須ではないことを理解するべきである。
【００６６】
当業者は、一実施形態において提供されるデバイス内のユニットは、実施形態において記述された方法で実施形態におけるデバイスに分散されてもよく、異なる方法で別の実施形態における1つまたは複数のデバイスに配置されてもよいことを理解するべきである。ユニットは1つのユニットに結合されてもよく、複数のサブユニットに分割されてもよい。
【００６７】
最後に、上記の実施形態は、本発明の技術的ソリューションを記述するために提供されるに過ぎず、本発明を限定することを意図するものではない点に留意されたい。上記の実施形態を参照して本発明を詳細に記述してきたが、上記の実施形態において記述された技術的ソリューションに修正が行われてもよく、技術的ソリューションにおけるいくつかの技術的特徴に同等の置換が行われてもよいが、このような修正または置換は、対応する技術的ソリューションの本質を、本発明の実施形態の技術的ソリューションの趣旨および範囲から逸脱させるものではないことが当業者には理解されるべきである。
【符号の説明】
【００６８】
51  監視ユニット
52  送信ユニット
61  受信ユニット
62  決定ユニット
63  表示ユニット
【図１】
0005574310.tif 000002
【図２】
0005574310.tif 000003
【図３】
0005574310.tif 000004
【図４】
0005574310.tif 000005
【図５】
0005574310.tif 000006
【図６】
0005574310.tif 000007